(57)【要約】【課題】  チューナモジュールとの間で、安価で簡易な構成かつ不要信号の輻射による信号品質劣化を防止できる接続を可能とする分配出力端子構成を有するケーブルモデムモジュールを提供する。【解決手段】  ケーブルモデムモジュール１０は、ＣＡＴＶセンター局とケーブルを介して接続される第１ＲＦ端子１２と、外部チューナモジュール１１に接続される第２ＲＦ端子１３とを具備する。第２ＲＦ端子１３は、分配器内蔵ケーブルモデムモジュール１０と外部チューナモジュール１１が回路基板４１に実装された場合に、外部チューナモジュール１１のＲＦ入力端子２２と同一の高さになるように、分配器内蔵ケーブルモデムモジュール１０に設けられ、ＲＦ入力端子２２に直結される構造を有している。【選択図】  図７
2008160585.tif 000002
【特許請求の範囲】
【請求項１】
ＣＡＴＶ回線を介して受信される信号に含まれている信号を、ＲＦ入力端子を有する外部チューナモジュールと、外部情報端末にそれぞれ分配する分配器内蔵ケーブルモデムモジュールであって、
ＣＡＴＶセンター局とケーブルを介して接続される第１ＲＦ端子と、
前記外部チューナモジュールに接続される第２ＲＦ端子とを具備し、
前記第２ＲＦ端子は、前記分配器内蔵ケーブルモデムモジュールと前記外部チューナモジュールが回路基板に実装された場合に、前記回路基板からの高さが前記外部チューナモジュールのＲＦ入力端子と同一になるように、前記分配器内蔵ケーブルモデムモジュールに設けられ、前記ＲＦ入力端子に直結される構造を有していることを特徴とする分配器内蔵ケーブルモデムモジュール。
【請求項２】
前記第２ＲＦ端子が設けられている側面に、前記分配器内蔵ケーブルモデムモジュールと前記チューナモジュールとを固定するための固定手段が設けられていることを特徴とする請求項１記載の分配器内蔵ケーブルモデムモジュール。
【請求項３】
前記固定手段は、前記チューナモジュールに設けられた第１の固定手段を受ける切り欠き部が下側に設けられた第１の爪と、前記チューナモジュールに設けられた第２の固定手段を受ける切り欠き部が上側に設けられた第２の爪により構成される特徴とする請求項２記載の分配器内蔵ケーブルモデムモジュール。
【請求項４】
前記第２ＲＦ端子は、プラグタイプＲＦコネクタであることを特徴とする請求項１記載の分配器内蔵ケーブルモデムモジュール。
【請求項５】
前記第２ＲＦ端子は分配器内蔵ケーブルモデムモジュールの同一側面に複数設けられていることを特徴とする請求項１記載の分配器内蔵ケーブルモデムモジュール。
【請求項６】
前記第２ＲＦ端子はプラグタイプＲＦコネクタであって、分配器内蔵ケーブルモデムモジュールの同一側面に複数設けられていることを特徴とする請求項１記載の分配器内蔵ケーブルモデムモジュール。
【請求項７】
ＲＦ入力端子を有し、前記ＲＦ入力端子から入力されたＲＦ信号に対してチャンネルの選局処理を行うチューナモジュールと、
ＣＡＴＶセンター局とケーブルを介して接続される第１ＲＦ端子及び前記チューナモジュールに接続される第２ＲＦ端子とを有し、前記第１ＲＦ端子にて受信した信号に含まれる信号を前記チューナモジュールと、外部情報端末にそれぞれ分配する分配器内蔵ケーブルモデムモジュールと、
前記チューナモジュールから提供される信号を復調し、映像信号を提供するテレビジョン信号処理手段と、
前記テレビジョン信号処理手段から提供される映像信号に基づいて、映像を表示する表示部とを具備し、
前記分配器内蔵ケーブルモデムモジュールと前記チューナモジュールは、同一回路基板上に実装され、前記分配器内蔵ケーブルモデムモジュールの第２ＲＦ端子は、前記チューナモジュールのＲＦ入力端子に直結されていることを特徴とするテレビジョン受信機。
【請求項８】
前記第２ＲＦ端子はプラグタイプＲＦコネクタであって、前記分配器内蔵ケーブルモデムモジュールの同一側面に複数設けられていることを特徴とする特徴とする請求項７記載のテレビジョン受信機。
【請求項９】
ＲＦ入力端子を有するチューナモジュールと分配器内蔵ケーブルモデムモジュールとを接続する方法であって、前記分配器内蔵ケーブルモデムモジュールは、ＣＡＴＶセンター局とケーブルを介して接続される第１ＲＦ端子と、前記チューナモジュールに接続される第２ＲＦ端子とを具備し、
前記第１ＲＦ端子にて受信した信号に含まれる信号を、前記チューナモジュールと、外部情報端末にそれぞれ分配し、  
前記分配器内蔵ケーブルモデムモジュールと前記外部チューナモジュールが回路基板に実装された場合に、前記第２ＲＦ端子の前記回路基板からの高さが、前記外部チューナモジュールのＲＦ入力端子と同一になるように、前記第２ＲＦ端子を前記分配器内蔵ケーブルモデムモジュールに設け、前記第２ＲＦ端子を前記ＲＦ入力端子に直結して、前記分配器内蔵ケーブルモデムモジュールと前記外部チューナモジュールを回路基板に実装することを特徴とする分配器内蔵ケーブルモデムモジュールとチューナモジュールの接続方法。
【発明の詳細な説明】
【技術分野】
【０００１】
この発明は、ＣＡＴＶ（Cable Television）回線を介して受信される信号に含まれる信号をチューナモジュールと、ＰＣ等の情報端末にそれぞれ分配する分配器内蔵ケーブルモデムモジュール（以下ケーブルモデムモジュールという）に関する。
【背景技術】
【０００２】
周知のように、インターネット等のネットワークに、ユーザの所有する例えばＰＣ（Personal Computer）等の情報端末を例えばＣＡＴＶ回線を介して接続するためのインターフェースとして、ケーブルモデムモジュールが開発されている。このケーブルモデムモジュールは、ＣＡＴＶ回線と接続されてＣＡＴＶセンター局から供給されるＣＡＴＶ信号を受信して、外部のテレビジョンチューナに向けて各放送チャンネルの映像及び音声信号を供給する。またケーブルモデムモジュールは、接続されたＰＣ等の端末に対して、ＣＡＴＶセンター局を介したネットワークとのインターフェースを提供する。これにより、端末はネットワークとの双方向データ通信が可能となる。
【０００３】
ＣＡＴＶセンター局からケーブルモデムモジュールに送信される信号（下り信号）は通常、９０ＭＨｚ〜８６０ＭＨｚなどの帯域のアナログ信号である。この帯域のうち、モデム用（端末用）下りチャンネル信号はＣＡＴＶの空きチャンネルを利用して伝送され、例えば６ＭＨｚの帯域幅が使用される。このモデム用下りチャンネル信号は受信後、ケーブルモデムモジュール内で中間周波数に変換された後、デジタル信号に変換され復調処理等が施されてケーブルモデムモジュールを実装したテレビジョン受信機、セットトップボックス、及び外部のＰＣ等の端末に提供される。
【０００４】
ケーブルモデムモジュールからＣＡＴＶセンター局に送信されるデータ（上り信号）は、デジタル信号として端末からケーブルモデムモジュールに供給され、変調処理が施された後、アナログ信号に変換されて、５〜５５ＭＨｚなどの帯域の信号を用いてＣＡＴＶセンター局に送り出される。
【０００５】
以上の機能を実現するために、ケーブルモデムモジュールは、ＣＡＴＶセンター局からのケーブルを接続するためのＲＦ（Radio Frequency）同軸コネクタと、ＣＡＴＶセンター局からこのコネクタに供給される信号とコネクタからＣＡＴＶセンター局へ送り出される信号を分波するダイプレクサを有する。
【０００６】
更にケーブルモデムモジュールは、ダイプレクサで分波された受信信号を２つまたはそれ以上に分ける分配器と、この分配器の一方の出力をテレビジョンチューナに提供するための回路と、分配器の他方の出力を周波数変換する周波数変換器を有する。
【０００７】
またケーブルモデムモジュールは、周波数変換器の出力をデジタル信号に変換してからデジタル復調してケーブルモデムモジュールを実装したテレビジョン受信機、セットトップボックス、及び外部のＰＣ等の外部機器に送り、かつケーブルモデムモジュールを実装したテレビジョン受信機、セットトップボックス、及び外部のＰＣ等の外部機器からの情報を受けてデジタル変調してからアナログ変換してダイプレクサに供給する変復調処理及びインターフェース部を有する。
【０００８】
このようなケーブルモデムモジュールは、単独で製品として売買の対象となる他、ＴＶ等の機器に組み込まれて市場に提供される。
【特許文献１】特開２００３−１０１４２１号公報
【発明の開示】
【発明が解決しようとする課題】
【０００９】
一般に、ケーブルモデムモジュールとチューナモジュールは、同軸ケーブルを用いて接続される。量産製品に使われ、またそれほど長いケーブルを使用しない場合は、ケーブルの柔軟性を考慮し、またコスト上昇を抑えるために、同軸ケーブルは細いケーブルが使用されることが多い。しかし細い同軸ケーブルは一般に太いものよりロスが大きく、また同軸ケーブル外からの不要信号の輻射による影響（ノイズの混入）が大きくなる。これらはそれぞれ相反するもので、全てを満足することは難しい。従って、信号品質劣化を防ぎ、しかも安価で容易な構成のケーブルモデムモジュールとチューナモジュールの接続方式が望まれている。
【００１０】
下記特許文献１の図２、図３、図８は、ケーブルモデムモジュールから分配出力信号を受け取るチューナモジュールの構造を示している。図２はＲＣＡ  ＰＨＯＮＯ  ＪＡＣＫ、図３はＭＩＮＩ  ＪＡＣＫ、図８はコネクタ（ＲＣＡ  ＰＩＮ  ＰＬＵＧ）付き同軸ケーブルを実装した分配出力方法及び構造を示している。しかし、ケーブルモデムモジュールの分配出力端子とチューナの具体的な接続方法は記載されていない。この文献の図８には、先端に同軸コネクタが設けられた同軸ケーブルを具備するチューナモジュールが示されており、このコネクタがケーブルモデムモジュールの分配出力端子と接続されると考えられる。この場合も同軸ケーブルが必要となり、コストの上昇を招くことになる。
【００１１】
従って本発明は、チューナモジュールとの間で、安価で簡易な構成かつ不要信号の輻射による信号品質劣化を防止できる接続を可能とする分配出力端子構成を有するケーブルモデムモジュールを提供することを目的とする。
【特許文献１】特開２００３−１０１４２１号公報（図２、図３、図８）
【課題を解決するための手段】
【００１２】
上記目的を達成するために、本発明の１実施形態に係るケーブルモデムモジュールは、ＣＡＴＶ回線を介して受信される信号に含まれている信号を、ＲＦ入力端子を有する外部チューナモジュールと、外部情報端末にそれぞれ分配する分配器内蔵ケーブルモデムモジュールであって、ＣＡＴＶセンター局とケーブルを介して接続される第１ＲＦ端子と、前記外部チューナモジュールに接続される第２ＲＦ端子とを具備し、前記第２ＲＦ端子は、前記分配器内蔵ケーブルモデムモジュールと前記外部チューナモジュールが回路基板に実装された場合に、前記外部チューナモジュールのＲＦ入力端子と同一の高さになるように、前記分配器内蔵ケーブルモデムモジュールに設けられ、前記ＲＦ入力端子に直結される構造を有している。
【発明の効果】
【００１３】
チューナモジュールとの間で、安価で簡易な構成かつ不要信号の輻射による信号品質劣化を防止できる接続を可能とする分配出力端子構成を有するケーブルモデムモジュールが提供される。
【発明を実施するための最良の形態】
【００１４】
以下、図面を参照して、本発明によるケーブルモデムモジュールの実施の形態について詳細に説明する。
【００１５】
図１はＣＡＴＶ放送システムの概略を示している。図１において、符号１０１は、ＣＡＴＶセンター局である。このＣＡＴＶセンター局１０１は、ＣＡＴＶケーブル１０２を介して各加入者宅１０３に設置されたケーブルモデムモジュール１０に接続されている。このケーブルモデムモジュール１０はＴＶ（テレビジョン受信機）２０１内部に設けられている。ＣＡＴＶセンター局１０１は、例えばインターネット等の各種ネットワーク情網１０４に接続されている。 尚、本実施形態では、ケーブルモデムモジュール１０はＴＶ内に設けられるが、これに限らずＳＴＢ(set top box)あるいはＴＶチューナ内蔵のＰＣ等他の映像機器内に設けることができる。
【００１６】
ケーブルモデムモジュール１０は、ＣＡＴＶセンター局１０１との通信の制御、ＣＡＴＶセンター局１０１に送信する上り信号の生成、ＣＡＴＶセンター局１０１から送信された下り信号の復調、ケーブルモデムモジュール１０に接続されている外部装置（この場合ＰＣ２０３）とのデータ通信の制御等を行なう機能を有している。
【００１７】
図２は、ＴＶ２０１の構成を示す図であり、特にケーブルモデムモジュール１０の内部回路構成を詳細に示す図である。このケーブルモデムモジュール１０は、ＴＶ２０１内に設けられ、ＣＡＴＶセンター局１０１と、ＲＦ同軸コネクタ１２を介して送受信する高周波信号を処理するアナログ信号処理部３０１と、このアナログ信号処理部３０１に対して入出力する信号をデジタル処理するデジタル信号処理部３０２とを備えている。
【００１８】
アナログ信号処理部３０１は、ＲＦ同軸コネクタ１２を介して供給されるＣＡＴＶセンター局からの信号を受信すると共に、ＲＦ同軸コネクタ１２を介してＣＡＴＶセンター局１０１に信号を送出するための分波機能を備えたダイプレクサ（分波器）３０３を有する。
【００１９】
更に、アナログ信号処理部３０１は、ダイプレクサ３０３で分波されたＣＡＴＶからの信号を２つに分配する分配器３０４と、分配器３０４の各出力の利得を調整する可変利得増幅器３０５、３０６を有し、更に可変利得増幅器３０５の出力を外部に提供するＲＦコネクタ１３と、可変利得増幅器３０６の出力の周波数を変換する周波数変換部３０８と、デジタル信号処理部３０２から出力される信号を増幅して上り信号としてダイプレクサ３０３に提供する増幅器３０７とを有する。
【００２０】
周波数変換部３０８は、可変利得増幅器３０６からの出力が供給される混合器３０９と、混合器３０９に周波数変換用の信号を供給する局部発振器３１０と、混合器３０９の出力から所定の周波数帯域の信号を抽出して出力するＳＡＷ（Surface Acoustic Wave）フィルタ３１１で構成され、ＲＦ信号を中間周波数信号に変換して出力する機能を有する。
【００２１】
デジタル信号処理部３０２は、ＳＡＷフィルタ３１１からの信号が供給されるトランシーバＬＳＩ（Large-scale Integrated Circuit）３１２を有する。トランシーバＬＳＩ３１２は、ＳＡＷフィルタ３１１からの信号をデジタル信号に変換するＡ／Ｄ（Analog Digital）変換処理と、変換されたデジタル信号に対してＱＡＭ（Quadrature Amplitude Modulation）復調処理を施す機能を有する。更に、トランシーバＬＳＩ３１２は、後述するＭＡＣ部からの上りデータを１６ＱＡＭ変調する変調処理と、変調されたデジタル信号をアナログ信号に変換するＤ／Ａ（Digital Analog）変換処理機能と、周波数変換部３０８の局部発振器３１０の発振周波数を制御し、更に可変利得増幅器３０６の利得を制御する機能を有する。Ｄ／Ａ変換された上りデータは増幅器３０７を介してダイプレクサ３０３に供給される。
【００２２】
更にデジタル信号処理部３０２は、トランシーバＬＳＩ３１２から出力されるＱＡＭ復調されたデジタル信号を受けるＭＡＣ（Media Access Control）部３１３を有する。ＭＡＣ部３１３は、外部機器としてのＰＣ２０３と通信を行う機能を有し、このため、ＭＡＣ部３１３には、マイコン３１４と、メモリ３１５が接続され、更にイーサネット（登録商標）Ｉ／Ｆ（Interface）３１６が接続されている。
【００２３】
ＭＡＣ部３１３は、下りデータをＩ／Ｆ３１６を介して、イーサネット（登録商標）端子２０８に接続されたＰＣ２０３に提供し、ＰＣ２０３からの上りデータを、ＭＡＣ部３１３を介してＬＳＩトランシーバ３１２に送り、変調及びアナログ変換処理を施し、増幅器３０７を介してダイプレクサ３０３へ提供する。
【００２４】
ケーブルモデムモジュール１０は、更に、可変利得増幅器３０５を制御すべく、ＴＶ２０１内に設けられている利得制御部３１７からの利得制御信号を受ける端子３１８と、同じく、ＴＶ２０１内に設けられ、ケーブルモデムモジュール１０の各部への動作電源を供給する電源回路３１９からの動作電源電圧を受ける端子３２０を備えている。
【００２５】
図２おいて、ＣＡＴＶセンター局１０１からのＣＡＴＶ信号は、ＲＦ同軸コネクタ１２から、ダイプレクサ３０３を介して分配器３０４に送られ、分配器３０４で２つに分けられ、一方は、可変利得増幅器３０５及びＲＦコネクタ１３を介してチューナモジュール１１に分配される。
【００２６】
分配器３０４の他方の出力は、可変利得増幅器３０６を介して周波数変換部３０８に分配される。周波数変換部３０８は、トランシーバＬＳＩ３１２の制御によって、局部発振器３１０の発振周波数が制御され、混合器３０９からＳＡＷフィルタ３１１を介して一定の周波数帯域の信号を提供するように動作するため、いわゆる選局装置としての機能を有する。すなわち、トランシーバＬＳＩ３１２が、ＳＡＷフィルタ３１１の出力にＱＡＭ変調された下り信号が存在するチャンネルに対応した局部発振周波数信号を混合器３０９に供給すべく、局部発振器３１０を制御する。
【００２７】
ＳＡＷフィルタ３１１からの下り信号はデジタル信号処理部３０２で処理されて、ＰＣ２０３に提供され、ＰＣからの上り信号は、デジタル信号処理部３０２から増幅器３０７を介してダイプレクサ３０３に供給され、ＲＦ同軸コネクタ１２を介しＣＡＴＶセンター局１０１に伝送される。
【００２８】
チューナモジュール１１では、所望のチャンネルの選局が実行され、更にテレビジョン信号処理部２０５により映像信号及び音声信号に復調される。信号処理部２０５で復調された映像信号及び音声信号は、それぞれフィルタ及び増幅器（図示されず）を介して表示部２０６及びスピーカ２０７に出力されてユーザの視聴に供される。
【００２９】
図３はケーブルモデムモジュールの構造を示した図である。ケーブルモデムモジュール１０は、同軸ケーブルに接続し、上り及び下りＲＦ信号を受け渡すためのＲＦ用同軸コネクタ１２を備えている。ＲＦ用同軸コネクタ１２は、本例ではジャックタイプを使用している。ケーブルモデムモジュール１０は、前述したように分配器を内蔵しており、その出力は分配出力端子（ＲＦ用同軸コネクタ）１３から出力される。分配出力端子１３は、本例ではジャックタイプを使用している。またケーブルモデムモジュール１０には、セット基板（回路基板）への実装を可能にする取り付け脚１５、またセット基板との電源、データ信号、制御信号、他信号等を受け渡しする端子群１４を備える。
【００３０】
図４はチューナモジュール１１の構造を示した図である。チューナモジュール１１は、ケーブルモデムモジュール１０の分配出力端子１３に直接接続可能なＲＦ入力端子２２を備えている。ＲＦ入力端子２２は、本例ではプラグタイプを使用している。チューナモジュール１１にはセット基板への実装を可能にする取り付け脚２４、またセット基板との電源、データ信号、制御信号、他信号等を受け渡しする端子群２３を備える。
【００３１】
図５はケーブルモデムモジュール１０とチューナモジュール１１を接続した状態を示す図である。分配出力端子１３はジャックタイプであり、これと合うプラグタイプのＲＦ入力端子２２が、分配出力端子１３に直接接続される。このときセット基板への実装を考慮し、取り付け脚１５から分配出力端子１３までの高さ３１、及び取り付け脚２４からＲＦ入力端子２２までの高さ３２は同一となっている。高さ３１は図３に示すように、セット基板に突き当たる位置１０ａから分配出力端子１３中心までの高さであり、高さ３２は図４に示すようにセット基板に突き当たる位置１１ａからＲＦ入力端子２２中心までの高さである。
【００３２】
図６は図５の装置を上面から見た構造を示す図である。一般的にＲＦ用同軸コネクタ１２はケーブルモデムモジュール１０を内蔵するＴＶあるいはセットトップボックスの筐体から突出して、同軸ケーブルと接続される。従ってケーブルモデムモジュール１０とチューナモジュール１１を接続した状態では、ＴＶあるいはセットトップボックスの筐体面と考えられる面２０１ａよりもチューナモジュール１１は筐体内側へ所定距離４０だけオフセットするとよい。この所定距離３１は０ｍｍ以上の距離である。尚、筐体面とケーブルモデムモジュール１０の筐体面側端面との間には、ＲＦ用同軸コネクタ１２のスペーサ１２ａの厚みだけ隙間が生じている。
【００３３】
図７はケーブルモデムモジュール１０とチューナモジュール１１を接続した状態で、セット基板４１へ実装する様子を示した図である。セット基板４１は、ケーブルモデムモジュール１０とチューナモジュール１１を接続した状態で挿入が可能になるように、ケーブルモデムモジュール１０の取り付け脚１５、端子群１４を挿入するための挿入穴群４２と、チューナモジュール１１の取り付け脚２４、端子群２３を挿入するための挿入穴群４３を備える。
【００３４】
次に、ケーブルモデムモジュールとチューナモジュールの結合方法について説明する。
【００３５】
ケーブルモデムモジュールとチューナモジュールを接続するときに、分配出力端子１３とＲＦ入力端子２２を直接接続するだけでは寸法上精度が悪い、または構造上強度が低い場合がある。そのような場合は、ケーブルモデムモジュールとチューナモジュールを接続した状態でセット基板へ装着するのが困難となる。図８はケーブルモデムモジュールとチューナモジュールに適用される補強対策（固定手段）の一例を示す。
【００３６】
ケーブルモデムモジュール１０とチューナモジュール１１の接合部５１、５２は、それら接合部を互いに組み込む構造を持っている。図９は接合部５１の詳細、図１０は接合部５２の詳細を示す。図９のケーブルモデムモジュール１０側の組み込み爪６１は上に凹み、チューナモジュール１１の組み込み爪６２は下に凹みになっている。図１０のケーブルモデムモジュール１０側の組み込み爪７１は下に凹み、チューナモジュール１１側の組み込み爪７２は上に凹みになっている。
【００３７】
図１１は図８〜図１０の構造を持つケーブルモデムモジュール１０とチューナモジュール１１を組み合わせる工程を示す。先ず、ケーブルモデムモジュール１０とチューナモジュール１１を、組み込み爪６１、６２，７１，７２が干渉しない角度で、分配出力端子１３とＲＦ入力端子２２を接続する。その後ケーブルモデムモジュール１０とチューナモジュール１１を、矢印８１、８２の方向へ回転させることで、組み込み爪６１と６２、及び組み込み爪７１、７２が組み合わされる。これで分配出力端子１３とＲＦ入力端子２２、組み込み爪６１と６２、及び組み込み爪７１、７２の３箇所により、ケーブルモデムモジュール１０とチューナモジュール１１が組み合わされることになり、寸法的に精度良く、構造的に強度が高くなる。この結果、ケーブルモデムモジュール１０とチューナモジュール１１を組み合わせた状態で、セット基板への装着が容易となる。
【００３８】
また必要に応じ、組み込み爪６１、６２，７１，７２は、はんだ付けをして強度を高くしたり、組み込まれた爪が緩まないようにするストッパーを追加する構造を持ったり、組み込み爪の箇所を増やす等してもよい。また組み込み方式の爪でなくとも、位置決めがしっかりされる方法があれば、溶接、接着剤、はんだ付け等のみの構造も可能である。
【００３９】
図１２は組み込み爪にストッパーを設けた例を示し、図９の爪６１及び爪６２に対応する部分のみを拡大して示す図である。突起６３は爪６１の凹み部に切り出し工程を施して形成する。角穴６４は爪６１に爪６２を組み込んだ時に、突起６３を爪６２が受け入れるための穴である。図１３は爪６１に爪６２を組み込んだ状態を示す。角穴６４に突起６３が引っ掛かるので、爪６１と爪６２は外れなくなる。
【００４０】
図１４は組み込み爪にストッパーを設けた他の例を示し、図１３と同様に図９の爪６１及び爪６２に対応する部分のみを拡大して示す図である。突起６６は爪６１の凹み部に図の手前側へ切り出し工程を施して形成する。突起６５は爪６２の凹み部に図の右側へ切り出し工程を施して形成する。図１５は爪６１に爪６２を組み込んだ状態を示す。突起６６の先端と突起６５の先端は互いに引っ掛け合うので、爪６１と爪６２は容易には外れなくなる。
【００４１】
上記実施形態では、分配出力端子１３はジャックタイプ、ＲＦ入力端子２２はプラグタイプであるが、これらは逆になっても差し支えない。一般的で安価なチューナの場合、ＲＦ入力端子はジャックタイプがほとんどである。また通常、図４のＲＦ入力端子２２が備えられている面（面積が広い方の側面）にはＲＦ入力端子は備えられていない。図１６のような組み合わせにより、このような安価なチューナを使用した構成を実現できる。
【００４２】
図１６において、チューナモジュール１１にはジャックタイプのＲＦ入力端子９２が備えられている。これは上記した一般的で安価なチューナを想定している。この場合、ケーブルモデムモジュール１０の分配出力端子９１は、ＲＦ入力端子９２と組み合わせられるプラグタイプのコネクタを備える。また、セット基板面から分配出力端子９１までの高さを、チューナモジュール１１のセット基板面からＲＦ入力端子９２までの高さに合わせることが望ましい。このようにすることで、チューナモジュール１１として、専用の構造設計を施していない一般的な（安価な）チューナを使用することができる。
【００４３】
図１７はケーブルモデムモジュール１０の１側面に、複数の分配出力端子９１を設けた例を示す。この構成により、ケーブルモデムモジュール１０に複数のチューナモジュール１１を接続することができ、例えば或る番組を視聴しながら、その裏番組を録画することもできる。
【００４４】
［効果］
図３から図７にて説明したように、ケーブルモデムモジュール１０の分配出力端子１３とチューナモジュール１１のＲＦ入力端子２２が、直結されることにより同軸ケーブルが不要となる。この結果、同軸ケーブル分のコストを削減することができる。またＲＦ信号が同軸ケーブルを通過する時の損失がなくなり、また同軸ケーブルに輻射しＲＦ信号に重畳する不要信号がなくなり雑音性能等も改善され、高品位な信号をチューナモジュール１１に提供することができる。
【００４５】
更に、図８から図１６にて説明したように、ケーブルモデムモジュール及びチューナモジュールのそれぞれに組み込み爪を備え、それら爪を互いに組み合わせて、モジュール同士を接続することにより、互いに接続されたケーブルモデムモジュールとチューナモジュールの全体寸法精度、構造強度を補うことができる。
【００４６】
また、ケーブルモデムモジュール１０とそれに備えられている分配出力端子の構造を図１６のようにプラグタイプとすることにより、一般的で安価なチューナを使用することができ、コストを削減することができる。
【図面の簡単な説明】
【００４７】
【図１】ＣＡＴＶ放送システムの概略を示す図である。
【図２】ＴＶの構成を示す図であり、特にケーブルモデムモジュールの内部回路構成を詳細に示す図である。
【図３】ケーブルモデムモジュールの構造を示した図である。
【図４】チューナモジュールの構造を示した図である。
【図５】ケーブルモジュールとチューナモジュールを接続した状態を示した図である。
【図６】図５の装置を上面から見た構造を示した図である。
【図７】ケーブルモジュールとチューナモジュールを接続した状態で、セット基板へ実装する様子を示した図である。
【図８】ケーブルモデムモジュールとチューナモジュールに適用される補強対策の一例を示す図である。
【図９】図８の接合部５１の詳細を示す図である。
【図１０】図８の接合部５２の詳細を示す図である。
【図１１】図８〜図１０の構造を持つケーブルモデムモジュールとチューナモジュールを組み合わせる工程を示す図である。
【図１２】組み込み爪にストッパーを設けた例を示し、図９の爪６１及び爪６２に対応する部分のみを拡大して示す図である。
【図１３】爪６１に爪６２を組み込んだ状態を示す図である。
【図１４】組み込み爪にストッパーを設けた他の例を示す図である
【図１５】爪６１に爪６２を組み込んだ状態を示す図である。
【図１６】安価なチューナを使用した構成を示す図である。
【図１７】ケーブルモデムモジュールの１側面に、複数の分配出力端子を設けた例を示す図である。
【図１】
2008160585.tif 000003
【図２】
2008160585.tif 000004
【図３】
2008160585.tif 000005
【図４】
2008160585.tif 000006
【図５】
2008160585.tif 000007
【図６】
2008160585.tif 000008
【図７】
2008160585.tif 000009
【図８】
2008160585.tif 000010
【図９】
2008160585.tif 000011
【図１０】
2008160585.tif 000012
【図１１】
2008160585.tif 000013
【図１２】
2008160585.tif 000014
【図１３】
2008160585.tif 000015
【図１４】
2008160585.tif 000016
【図１５】
2008160585.tif 000017
【図１６】
2008160585.tif 000018
【図１７】
2008160585.tif 000019